(57)【特許請求の範囲】
【請求項１】
天井板から下方に露出する部分が細長い形状のラインスリット吹出ユニットであって、
前記細長い形状の露出部分の両端に対応する位置の天井板の上方で固定された２つの吊りボルト（３）およびその吊りボルトに下方から螺合するナットによって保持されたチャンバ（１）と、
吹出口（６）の周囲に配置された化粧板（７）と、その化粧板に囲まれるように前記細長い形状の露出部分の両端部および中央部に位置する各開口と、それら開口を蓋する化粧蓋とを有するグリル（２）とを備え、
前記グリルは前記チャンバの下面に、平面的に見て、前記中央部の開口、前記両端部の開口の計３つの開口に対応する位置で、ねじ留めされて取り付けられ、
前記２つの吊りボルトの下方に位置する前記両端部の開口を通して、前記吊りボルトに螺合されたナットが見えるように前記チャンバおよびグリルは構成され、その開口からボックスレンチにより前記吊りボルトに螺合するナットの位置を変えることにより、前記チャンバの取付高さの調整が可能である、ラインスリット吹出ユニット。
【請求項２】
前記チャンバの取付高さの調整により、前記チャンバ（１）の下面を前記天井板（１１）の下面よりも少なくとも５ｍｍ下方に位置させることができる、請求項１に記載のラインスリット吹出ユニット。
【請求項３】
天井板から下方に露出する部分が細長い形状のラインスリット吹出ユニットの取付方法であって、
前記細長い露出部の両端部に対応する天井板の上方で固定されている２本の吊りボルト（３）に、チャンバ（１）の下面が天井板（１１）下面より下方に位置するように、ナットを螺合させて当該チャンバを取り付ける工程と、
ラインスリット状の吹出口部材であるグリル（２）を、前記チャンバの下面に、平面的に見て、前記中央部の開口、前記両端部の開口の計３つの開口に対応する位置で各ねじ留めして取り付ける工程と、
前記取付工程ののちに前記吊りボルトに螺合するナットが前記両端部の開口を通して下方から見えるように、前記取付工程より前に前もって前記チャンバおよびグリルを構成しておく工程と、
前記グリル下面の前記吹出口を取り囲む化粧板（７）の前記両端部に開けられた開口（２２ａ）を通して前記吊りボルトに螺合するナットの位置をボックスレンチにより変えることにより、前記チャンバの取付高さを調整して、前記グリル下面の張出し部が前記天井板下面に概ね接する高さ位置に引き上げる工程とを備える、ラインスリット吹出ユニットの取付方法。
【請求項４】
さらに、前記グリル（２）下面の化粧板（７）に開けられた開口に化粧蓋（７ａ，７ｂ）を取り付ける工程と備える、請求項３に記載のラインスリット吹出ユニットの取付方法。
【発明の詳細な説明】
【０００１】
【発明の属する技術分野】
本発明は、空気調和機の利用に付随して用いられるラインスリット吹出ユニットおよびその取付方法に関し、より特定的には、天井部への取り付けが容易なラインスリット（ブリーズライン型）吹出ユニットおよびその取付方法に関するものである。
【０００２】
【従来の技術】
空気調和機の吹出ユニットは、空気調和機からの空気を室内に吹き出したり、室内の空気を排気するために用いられる開口であり、空調がなされる室の天井等に主に設けられる。これら空調用吹出ユニットは、室に対する天井の位置に応じて、各種の形状のものが用いられる。例えば、室の中央部の天井面には丸形状や正方形の空調用吹出ユニットが用いられる。これらの中にあって、ラインスリット吹出ユニットは、細長い矩形のラインスリット状吹出口を有し、室の壁に沿って多用される。図４は、従来のラインスリット吹出ユニットを下方から見た斜視図である。この吹出ユニット１１０は、空気が通るダクトに接続されるダクト孔１０５を有するチャンバ１０１と、そのチャンバの下部に取り付けられるグリル１０２とを主要構成部材として構成される。チャンバ１０１は、通常、天井スラブ１１２に固定された吊りボルト１０３によって保持され、その下端部が、天井板１１１よりグリル相当分だけ高い位置になるようにされる。チャンバの下部には開口１０７が開けられており、その開口１０７にグリル１０２の上端部が差し込まれる。このような構造により、ラインスリット１０６が吹出口として、ダクトからの空気を空調対象室に送り出したり、また、排気口として室の空気を吸入する。
【０００３】
【発明が解決しようとする課題】
しかしながら、ラインスリット吹出ユニットは、形状が細長いために、天井部への取り付けが他の形状の空調用吹出ユニットよりも面倒である。また、吹出ユニットの取付施工初期の段階では、吹出ユニット全体の上下動の調整ができないため、天井板よりグリル相当分だけ上にチャンバ下面を配置する。このため、気密性を確認した上で、上記チャンバの下端にグリルを取り付ける作業が容易でなかった。このような状況下で、施工業者からラインスリット吹出ユニットの取り付けの容易化が望まれていた。次の３つの機能をともに満足するラインスリット吹出ユニットがあれば、上記の不備を是正して取付け施工が非常に容易になるが、これまでのところラインスリット吹出ユニットで、下記の３機能を備えたものはない。
（１）天井予定面よりもチャンバ下端部を５〜１０ｍｍ下に降ろすことができること。ラインスリット型に限らず、空調用吹出ユニットは、ビル等の新築時に取り付け工事がなされる。そのとき、上記の事項ができると、上記理由により施工上、非常に好都合である。
（２）グリルをチャンバに取り付けた後、その接続部を目視できること。この目視ができると、グリルとチャンバとの界面の気密性を確認することができる。
（３）グリルをチャンバから取り外さずに、グリルとチャンバとから構成されるユニットを上下動させることができる。この機能により、上記（１）の位置でチャンバ下面にグリルを取り付け、上記（２）の目視の確認を行い、通常の位置、すなわち、グリル下端の張出しが天井板下面に接する位置、にまで引き上げることができる。
【０００４】
そこで、本発明は取付け施工を容易かつ確実にする構造を有するラインスリット吹出ユニットおよびその取付方法を提供することを目的とする。具体的には、上記の３項目の機能をすべて備えたラインスリット吹出ユニットおよびその取付方法を提供することを目的とする。
【０００５】
【課題を解決するための手段】
本発明の第１の局面におけるラインスリット吹出ユニットは、天井板から下方に露出する部分が細長い形状のラインスリット吹出ユニットである。このラインスリット吹出ユニットは、細長い形状の露出部分の両端に対応する位置の天井板の上方で固定された２つの吊りボルトおよびその吊りボルトに下方から螺合するナットによって保持されたチャンバと、吹出口の周囲に配置された化粧板と、その化粧板に囲まれるように前記細長い形状の露出部分の両端部および中央部に位置する各開口と、それら開口を蓋する化粧蓋とを有するグリルとを備える。上記のグリルはチャンバの下面に、平面的に見て、中央部の開口、両端部の開口の計３つの開口に対応する位置で、ねじ留めされて取り付けられ、２つの吊りボルトの下方に位置する両端部の開口を通して、吊りボルトに螺合されたナットが見えるようにチャンバおよびグリルは構成され、その開口からボックスレンチにより前記吊りボルトに螺合するナットの位置を変えることにより、前記チャンバの取付高さの調整が可能である（請求項１）。
【０００６】
上記構成により、ビル工事の際に吊り具の固定部である天井スラブに吊り具を固定してチャンバを保持して、チャンバの下端面を天井板の施工予定高さよりも低くすることができる。このため、チャンバ下部にグリルを取り付けることが容易となる。また、チャンバにグリルを取り付けた後も、チャンバ取付高さを下方から調節して、天井板の下にチャンバとグリルとの取付界面を降下させて、取り付けが完全か、気密性が確保されているか等を簡便に確認することができる。なお、上記の保持部材としては、長尺の吊りボルトとナットとを用いることができる。すなわち、チャンバに開けた孔に天井スラブに固定され垂下状態の長尺ボルトを通し、ナットをその長尺ボルトに螺合させて、チャンバを吊りボルトに留めることができる。保持部材が上記構成の場合、ボックスレンチ等を用いて、小さな力で無理なくナットの調整を行うことができる。上記のように化粧蓋を備えることにより、開口が塞がれ、空調対象室のトーンにマッチした外観を確保することができる。例えば、上記の吊りボルトがラインスリットの長手方向の両端部にそれぞれ１つずつ配置される場合、上記の蓋は両端部に１つずつ配置される。また、この蓋は、チャンバへのグリルの取付部が上記の開口内にある場合、その取付部をも隠す作用を有する。また上記化粧蓋はチャンバにグリルを取り付ける取付部を覆うので、チャンバへのグリルの取付部が上記の開口とは関係ない位置にある場合でも、その取付部を下方から見ることはなく、空調対象室のトーンにマッチした外観を確保することができる。また、グリルをチャンバに、中央部と両端部の３箇所でねじ留めするのは、グリルとチャンバとの接続の気密性を高めた上で、気密性が損なわれた場合の手直しが３つの開口を通して容易に行なわれる。さらに、ボックスレンチなどによりナットの螺合位置を変えるのは、小さい開口とそれを覆う化粧蓋は簡単に取り外すことができ、ボックスレンチをその小さい開口からチャンバにいたるまで差し込んで、開口を通してナットを見ながら容易に高さ位置の調整ができる。上記において、細長い露出部分の形状、すなわちラインスリット状であることが重要である。その細長い形状であるゆえに、たとえば、チャンバにいたるまで容易に手を差し込むことはできず、それゆえ両端部の開口にボックスレンチを差し込んで、はじめて高さ調整をすることができる。
【００１１】
上記第１の局面のラインスリット吹出ユニットでは、チャンバの取付高さの調整により、チャンバの下面を天井板の下面よりも少なくとも５ｍｍ下方に位置させることができる（請求項２）。
【００１２】
この構成により、空調業者は、建築業者が建造した骨組みの天井スラブに保持部材を固定した後、天井板の建設予定高さよりも少なくとも５ｍｍはチャンバ下面を低くすることができる。このため、上記チャンバ下端にグリルを取り付ける取付施工を容易に行うことができる。なお、保持具または長尺ボルトの下端部が天井板から下に突き出ることはありあえない。したがって、当然のことであるが、保持具または長尺ボルトの長さには、この条件を満たすように上限がある。
【００１３】
本発明の第１の局面のラインスリット吹出口ユニットの取付方法は、天井板から下方に露出する部分が細長い形状のラインスリット吹出ユニットの取付方法である。この取付方法は、細長い露出部の両端部に対応する天井板の上方で固定されている２本の吊りボルトに、チャンバの下面が天井板下面より下方に位置するように、ナットを螺合させて当該チャンバを取り付ける工程と、ラインスリット状の吹出口部材であるグリルを、チャンバの下面に、平面的に見て、中央部の開口、両端部の開口の計３つの開口に対応する位置で各ねじ留めして取り付ける工程と、取付工程ののちに吊りボルトに螺合するナットが両端部の開口を通して下方から見えるように、取付工程より前に前もってチャンバおよびグリルを構成しておく工程と、グリル下面の吹出口を取り囲む化粧板の両端部に開けられた開口を通して吊りボルトに螺合するナットの位置をボックスレンチにより変えることにより、チャンバの取付高さを調整して、グリル下面の張出し部が天井板下面に概ね接する高さ位置に引き上げる工程とを備える（請求項３）。
【００１４】
この方法により、天井板の施工前に保持部材を天井スラブ等に固定し、その保持部材にチャンバの下面が天井板（予定）下面より下方に位置するように取り付けることができる。次に、天井板を形成した後、チャンバにグリルを端面同士が気密状態にあることを確認しながら取り付けることができる。その後、下方から上記開口を通して、ボックスレンチ等を用いて保持部材へのチャンバ取付部の取付高さを調整して、通常の位置に引き上げる。この取付方法は従来に比較して画期的に容易であり、かつ気密の確実性も保証される。
【００１５】
上記第１の局面の取付方法では、さらに、グリル下面の化粧板に開けられた開口に化粧蓋を取り付ける工程と備えている（請求項４）。
【００１６】
この構成により、吹出口ユニットを室内のトーンに調和させることができる。
【００１７】
【発明の実施の形態】
次に、図面を用いて本発明の実施の形態について説明する。
【００１８】
図１は、本発明の実施の形態におけるラインスリット吹出ユニットを示す斜視図である。ラインスリット吹出ユニット１０は、チャンバ１と、グリル２とをその主要構成部材とする。ダクト（図示せず）と接続するダクト孔５を備えたチャンバ１は、天井スラブ１２に固定された２本の吊りボルト３に支持され、その下面にグリル２が取り付けられている。グリル２は、下面に吹出口６を備え、ダクトから供給される空気をこの吹出口から吹き出したり、また、排気のためにここから空気を吸い込むこともある。グリル下面の周囲は天井板１１が囲んでいるが、ダクト下面には化粧板７ａ，７ｂ，７ｃが配置され、これらの化粧板はグリル下面の端部において外に張り出している。このため、グリル側面と天井板端部との隙間は、この化粧板の張出部によって下方から見えなくされている。図１において、化粧板は、長手方向端部の化粧蓋７ａ、中央部化粧蓋７ｂ、および側部化粧板７ｃ、と３種類あるが、このうち、長手方向端部の化粧蓋７ａ、および中央部化粧蓋７ｂが取り外し自在である。
【００１９】
次に、上記のラインスリット吹出ユニットの構造を、取り付け手順を説明しながら詳しく説明する。図２（ａ）〜（ｃ）は、図１に示したラインスリット吹出ユニットを天井部に取り付ける際の手順を示す断面図である。まず、図２（ａ）は、天井スラブ１２に固定した吊りボルト３にチャンバ１を取り付け、吊下げた状態を示す断面図である。（図２（ａ）は、厳密に言えば、上記チャンバの取り付けの後に、天井を形成した段階の断面図である。）ラインスリット吹出ユニットは細長い形状を有しているので、安定性を重視して、吊りボルト３は２本とし、その２本の吊りボルトのそれぞれが、チャンバの両端部に１本ずつ配置されるようにする。チャンバの吊りボルトへの取り付け方法はどのような方法でもよい。簡便さを重視する場合には、例えば、図２（ａ）に示すように、ねじが切られた吊りボルトをチャンバ取付部に開けた取付孔に通して、ナット３ａを上記ねじに螺合させて固定する。このチャンバの吊り下げは、空調業者によって行われる。この吊りボルトにチャンバ１を吊下げた段階では、天井板１１は設けられていない。天井板１１は、この吹出ユニットを取り囲むように、建築業者によって配置される。天井板１１が配置された段階で、チャンバの下面が天井板１１よりも高い位置にあると、グリル２の取り付けをスムースに行うことはできない。このため、上記吊りボルトに螺合させたねじ３ａを調節して、チャンバ下端が天井板の下面より５ｍｍ〜１０ｍｍ程度低い位置になるようにする。図２（ａ）において、ナット３ａは吊りボルトの最先端に位置している。このようなナットの位置で、横から見て、「吊りボルトの固定部／露出部の界面の高さ位置」から「吊りボルトの先端からナット１つ分上方の高さ位置」までの長さは、ｌ１である。また、「ナットの位置によらず、ナットに接するチャンバの部分の高さ位置」から「当該チャンバ下面の高さ位置」までの長さは、ｌ２である。また、「吊りボルトの固定部／露出部の界面の高さ位置」から「天井板下面の高さ位置」までの長さは、ｌ３である。チャンバ下端が天井板の下面より５ｍｍ〜１０ｍｍ程度低い位置になるようにするには、例えば、上記ナットの位置で、ｌ１＋ｌ２がｌ３より５ｍｍ〜１０ｍｍ長くすればよい。ただし、このように部材の各部分の長さを測定して全体の構成を決めることは、測定誤差や部材の測定位置のあいまいさのため、精度が不足して目的を達成できない場合がある。したがって、上記の各部の測定に基いた全体構成は、あくまで参考例である。実際に、ラインスリット吹出ユニット全体を構成しながら、各部寸法、とくに吊りボルト寸法を調整して、チャンバ下端が天井板の下面より５ｍｍ〜１０ｍｍ程度低い位置にできることを確認して最終構造を決めることが望ましい。
【００２０】
次に、図２（ｂ）は、図１の状態のチャンバにグリル２を取り付けた段階の断面図である。チャンバ下面とグリル上面とは、平面的に見て、ほぼ同じ形状を有している。このため、チャンバ１へのグリル２の取り付けは、突き合わせてボルト締めなどによって行われる。図２（ｂ）では図示していないが、チャンバ１の下端部には雌ねじが切られ、この雌ねじにグリルの下方側から挿入された雄ねじ１５を螺合し、ねじ留めする。このねじ留めは、ラインスリットの長手方向の中央部開口２３と２つの端部開口２２ｂとの３箇所で行われる。このねじ留めの際には、図２（ｂ）に示すように、未だ、化粧蓋に覆われていないので、下方から容易にねじ留めすることができる。また、図２（ｂ）の状態では、チャンバを支持している吊りボルトとナットの位置も、未だ、開口２２ａには化粧蓋がされていないので、下方から容易に見ることができる。図２（ｂ）におけるチャンバの位置は、図２（ａ）と同様の位置なので、グリル２を取り付けると、当然のことであるが、グリルの位置が正規の位置から低くなっている。
【００２１】
図２（ｃ）は、吹出ユニット全体を引き上げてグリル下面が天井板に接する位置にまで引き上げた状態の断面図である。この引き上げにおいては、グリルの下面の両端の開口２２ａおよびチャンバとグリルとが接する部分の開口２１からボックスレンチを差し込んで、ナット３ａを把握して回転して吹出ユニット全体を上方に引き上げる。この操作は、ボックスレンチを用いれば、容易に行うことができる。引き上げの前に、チャンバとグリルとの接合が気密性を確保しているか、否か点検することはいうまでもない。引き上げが終了した段階で、両端の開口２２ａ，２２ｂおよび中央の開口２３には、それぞれ化粧蓋７ａ，７ｂが取り付けられ、空調対象室のトーンに合った色調とされる。例えば、空調された空気を吹出す場合には、図２（ｃ）に示すように、ダクト（図示せず）から供給された空気は、チャンバとグリルとが接する部分の開口９を通ってグリル内に至り、グリルの開口であるラインスリット６を通って、室内に供給される。なお、図２（ｃ）から明らかなように、保持具または長尺ボルトの下端部が天井板から下に突き出ることはありえない。したがって、上記吊りボルトについて、上記（ｌ１＋ボルト１つ分の長さ）は、上記ｌ３より短くする。
【００２２】
図３（ａ）は、グリルの縦断面図であり、図３（ｂ）は、上記グリルの底面、すなわち、室内から見える面を示す。図３（ａ）における、端部におけるねじ案内部２５および上記開口２１は、化粧蓋７ａによって、また、中央部のねじ案内部２５は、化粧蓋７ｂによって、室内から見えないようにされる。
【００２３】
このラインスリット吹出ユニットは、上記の構成により、取り付け施工が容易かつ確実になり、かつ、室内とトーンを合わせて調和をとることができる。
【００２４】
上記において、本発明の実施の形態について説明を行なったが、上記に開示された本発明の実施の形態は、あくまで例示であって、本発明の範囲はこれらは発明の実施の形態に限定されない。本発明の範囲は、特許請求の範囲の記載によって示され、さらに特許請求の範囲の記載と均等の意味および範囲内でのすべての変更を含む。
【００２５】
【発明の効果】
本発明のラインスリット吹出ユニットを用いることにより、取付け施工を容易かつ確実にする構造を有するラインスリット吹出ユニットを提供することができる。しかも、上記の機能を発揮する主要構造の外観が、室内のトーンに不調和とならないよう、化粧蓋によりトーンを合わせて調和をとることができる。
【図面の簡単な説明】
【図１】本発明の実施の形態におけるラインスリット吹出ユニットの斜視図である。
【図２】図１のラインスリット吹出ユニットを取り付ける手順を示す断面構成図である。（ａ）チャンバを吊りボルトに保持した段階の断面図である。（ｂ）（ａ）の状態のチャンバにグリルを取り付けた段階の断面図である。（ｃ）（ｂ）の状態の吹出ユニット全体を引き上げた段階の断面図である。
【図３】図１のラインスリット吹出ユニットにおけるグリルを説明する図である。（ａ）グリルの縦断面図である。（ｂ）グリルの底面図である。
【図４】従来のラインスリット吹出ユニットを示す斜視図である。
【符号の説明】
１  チャンバ、２  グリル、３  吊りボルト、３ａ  ナット、５  ダクト孔、６  吹出口（ラインスリット）、７ａ，７ｂ  化粧蓋、７ｃ  側部化粧板、９  チャンバとグリルとが接する部分の開口、１０  ラインスリット吹出ユニット、１１  天井板、１２  天井スラブ、１５  取付ねじ、１６，１７  空気ガイド、２１  チャンバ／グリル部分の開口、２２ａ  取付高さ調整用開口、２２ｂ，２３  チャンバへのグリル取付用開口、２５  取付ねじ案内部、ｌ１  （吊りボルトの固定部／露出部の界面の高さ位置〜吊りボルトの先端から前記ナット１つ分上方の高さ位置）の長さ、ｌ２  （ナットに接するチャンバの部分の高さ位置〜当該チャンバ下面の高さ位置）の長さ、ｌ３  （吊りボルトの固定部／露出部の界面の高さ位置〜天井板下面の高さ位置）の長さ。
【図１】
0003618631.tif 000002
【図２】
0003618631.tif 000003
【図３】
0003618631.tif 000004
【図４】
0003618631.tif 000005